(57)【要約】【課題】特に茶系統の色彩において、多数の毛髪染色見本を用意し、顧客の期待に沿えるようにすると共に、色の混合の程度によりどのような色になるのか、正確に判断し得るようにした毛髪染色見本ユニットを提供する。【解決手段】移動可能な台車に設けた毛髪染色見本搭載台枠に、複数の毛髪染色見本６を備える。毛髪染色見本６の毛髪染色見本本体８は人髪、人工毛髪、天然毛の少なくとも何れかから構成されて所定の色に染色されている。【選択図】図３
0003110766.tif 000002
【実用新案登録請求の範囲】
【請求項１】
毛髪染色見本搭載台枠に、複数の毛髪染色見本を備えた毛髪染色見本ユニットであって、各毛髪染色見本は、人髪、人工毛髪、天然毛の少なくとも何れかから構成されて所定の色に染色されている毛髪染色見本本体を備えていることを特徴とする毛髪染色見本ユニット。
【請求項２】
毛髪染色見本は、毛髪染色見本搭載台枠に取付けられた台板を備えると共に、毛髪染色見本本体は前記台板に取付けられている請求項１記載の毛髪染色見本ユニット。
【請求項３】
毛髪染色見本は、毛髪染色見本搭載台枠に対し着脱可能に搭載されると共に、ロッドを備え、毛髪染色見本本体はロッドの先端に取付けられ、ロッドには毛髪染色見本本体側に移動した際に当該毛髪染色見本本体を覆い、ロッド側に移動した際に前記毛髪染色見本本体が露出し得るよう摺動可能にカバーが設けられている請求項１記載の毛髪染色見本ユニット。
【請求項４】
色は茶系統である請求項１乃至３の何れかに記載の毛髪染色見本ユニット。
【請求項５】
毛髪染色見本搭載台枠は移動可能な台車に設けられて昇降可能に構成されている請求項１乃至４の何れかに記載の毛髪染色見本ユニット。
【考案の詳細な説明】
【技術分野】
【０００１】
本考案は毛髪染色見本ユニットに関する。
【背景技術】
【０００２】
近年、ファッションを楽しむために、毛髪を種々の色彩に染めることが行なわれているが、染色する際には、顧客は美容院や理容院のスタッフから、色見本帳等による色見本を提示してもらってカラーカウンセリングを受け、検討してどの色彩に染めるかを決定している。
【考案の開示】
【考案が解決しようとする課題】
【０００３】
しかしながら、同じ色彩でも明色、暗色、清色、濁色等の相違があるうえ、色相、明度、彩度等においても微妙な違いがあり、例えば、「茶色」といっても１００種類を越えるものがある。しかし、色見本では、このような微妙な違いを明確に表示することができず、染毛後に顧客が期待した色彩にならない場合もあり、又、色見本に示されている色彩とは異なる染色を希望する場合、どの色とどの色をどの程度混ぜたら希望の色となるのか、判断するのが難しい。
【０００４】
本考案は、斯かる実情に鑑み、特に茶系統の色彩において、多数の毛髪染色見本を用意し、顧客の期待に沿えるようにすると共に、色の混合の程度によりどのような色になるのか、正確に判断し得るようにした毛髪染色見本ユニットを提供することを目的としてなしたものである。
【課題を解決するための手段】
【０００５】
本考案は、毛髪染色見本搭載台枠に、複数の毛髪染色見本を備えた毛髪染色見本ユニットであって、各毛髪染色見本は、人髪、人工毛髪、天然毛の少なくとも何れかから構成されて所定の色に染色されている毛髪染色見本本体を備えている。
【０００６】
又、本考案の毛髪染色見本ユニットにおいては、毛髪染色見本は、毛髪染色見本搭載台枠に取付けられた台板を備えると共に、毛髪染色見本本体は前記台板に取付けられている。
【０００７】
又、本考案の毛髪染色見本ユニットにおいては、毛髪染色見本は、毛髪染色見本搭載台枠に対し着脱可能に搭載されると共に、ロッドを備え、毛髪染色見本本体はロッドの先端に取付けられ、ロッドには毛髪染色見本本体側に移動した際に当該毛髪染色見本本体を覆い、ロッド側に移動した際に前記毛髪染色見本本体が露出し得るよう摺動可能にカバーが設けられている
【０００８】
又、本考案の毛髪染色見本ユニットにおいては、色は茶系統であり、毛髪染色見本搭載台枠は移動可能な台車に設けられて昇降可能に構成されている。
【０００９】
本考案においては、顧客が毛髪を染色する際には、毛髪染色見本本体を目視し、どの色にするか選定を行なう。
【考案の効果】
【００１０】
本考案の請求項１〜５記載の毛髪染色見本ユニットによれば、毛髪染色見本本体は、少なくとも、人髪或は人工毛髪若しくは天然毛を使用しているため、その色は実際に人の髪の毛に染色した場合の色を示しており、染毛後に顧客が期待した色を確実に得ることができ、従って、顧客のニーズに充分に沿うことができ、又、毛髪染色見本ユニットは移動可能であるため、美容院のスタッフが毛髪染色見本ユニットを顧客の座席まで搬送することができ、従って、顧客が移動することなく座席において見ることもできるためより一層便利であり、更に、請求項３の場合は、複数の毛髪染色見本の毛髪染色見本本体を組合せて、毛髪染色見本に示されている色以外の色を選定し、この選定した色により染色することもできるため、ファッション性がより一層向上する、等種々の優れた効果を奏し得る。
【考案を実施するための最良の形態】
【００１１】
以下、本考案の実施の形態を添付図面を参照して説明する。
図１〜図６は本考案の毛髪染色見本ユニットを実施する形態の一例である。図１中、１は人力により移動することのできる台車、２は台車１に立設した中空案内体、３は中空案内体２の中空部に嵌入されると共に、昇降可能且つ所望の高さで位置固定し得るようにした昇降体、４は昇降体３の上端にピン５を介し枢支されて上下方向へ角度調整可能且つ所定の角度で位置固定し得るようにした毛髪染色見本搭載台枠（以下、単に見本搭載台枠と称する。）である。
【００１２】
見本搭載台枠４には、図２に示すように、複数（実際には、縦方向１０段、横方向１０列の合計１００個）の毛髪染色見本６が搭載されており、毛髪染色見本６は、図４〜図６に示すように、台板７と、毛髪染色見本本体８（以下、単に見本本体８と称する。）と、見本本体押え具９とを備えている。
【００１３】
台板７は略正方形のアクリル製で、上辺の一側側には辺の長手方向へ所定の間隔で、所定高さの２本の溝１０が形成されている。又、台板７の４隅に穿設した孔１１には、円筒状の頭１２ａ付きピン１２の雄ねじ部１２ｂが、台板７の裏面側から台板７の表側へ向かって突出するよう挿通され、表側へ突出した部分には、円筒状のナット１３が螺嵌されている。更に、ピン１２における頭１２ａの台板７から離反した側には、雌ねじ部１２ｃが螺設されており、該雌ねじ部１２ｃは、見本搭載台枠４の面４ａから突出させたピン１４に螺合されるようになっている。而して、ピン１２の頭１２ａをピン１４に螺合することにより、毛髪染色見本６は見本搭載台枠４に固定されるようになっている。
【００１４】
見本本体８は人髪或は人工毛髪若しくは天然毛を多数集め、上端部を接着材により固めるか或は熱融着させることにより、端面形状が矩形状になるよう固定されている。見本本体８に付される色彩は茶系統で、各見本本体８ごとに夫々個別のネーミングが付されている。ネーミングはシール２０に表示されて、シール２０を台板７に貼設することにより、台板７の表面に見本本体８と並んで表示されるようになっている。
【００１５】
見本本体８が人工毛髪の場合においては、平均的な人髪の毛の太さと同程度の約７５デニール程度のナイロンやアクリル繊維製の長繊維の合成繊維が使用され、天然毛としては、山羊、羊、ヤク等が使用される。
【００１６】
見本本体押え具９は中空部が上下に貫通した直方体状で、その両短辺部は台板７の２本の溝１０に嵌入し得るようになっていると共に、中空部９ａには、台板７上辺部の両溝１０間の部分が入り込むようになっている。又、見本本体押え具９における長辺部の見本搭載台枠４に近い側には、止めねじ１５を螺合して台板７を押圧し得るようになっており、止めねじ１５により押圧された台板７と見本本体押え具９とにより、中空部９ａの見本搭載台枠４から離反した側の部分に上端が挿入された当該見本本体８の上端部を固定し得るようになっている（図４、図５参照）。
【００１７】
顧客が毛髪を染色する際には、座席において、或は、毛髪染色見本ユニット停止場所において、各毛髪染色見本６における見本本体８を目視し、美容院或は理容院のスタッフからアドバイスを受けたうえどの色にするか選定を行なう。色彩を付された見本本体８は、人髪或は人工毛髪若しくは天然毛を使用しているため、その色は実際に人の髪の毛に染色した場合の色を示しており、染毛後に顧客が期待した色を確実に得ることができ、従って、顧客のニーズに充分に沿うことができる。又、毛髪染色見本ユニットは移動可能であるため、美容院のスタッフが毛髪染色見本ユニットを顧客の座席まで搬送することができ、顧客が移動することなく、見ることもできるためより一層便利である。
【００１８】
図７、図８は本考案の毛髪染色見本ユニットの実施の形態の他の例を示し、台車から昇降体に取付けられた見本搭載台枠までの構成は図１に示すものと略同一である。而して、本図示例の見本搭載台枠４に搭載される毛髪染色見本６’は、前記図示例の毛髪染色見本６が、見本搭載台枠４に固定されているのに対し、見本搭載台枠４に対し容易に着脱し得るようになっている。又、１００本の毛髪染色見本６’を１台の毛髪染色見本ユニットの見本搭載台枠４に搭載すると、毛髪染色見本ユニットが大型化するため、毛髪染色見本ユニットは２台に分けている。
【００１９】
すなわち、各毛髪染色見本ユニットにおける見本搭載台枠４には、図７に示すように、複数（実際には、縦方向２段、横方向２５列の合計５０本）の毛髪染色見本６’が搭載されており、毛髪染色見本６’は、図８に示すように、ロッド１６と、毛髪染色見本本体１７（以下、単に見本本体１７と称する）と、カバー１８を備えている。
【００２０】
ロッド１６は細長円筒状で上端部にはフランジ１６ａが設けられ、下端部には、中空孔部１９が穿設された大径部１６ｂが形成されている。又、見本本体１７は人髪或は人工毛髪若しくは天然毛を多数集め、上端部を接着材により固めるか或は熱融着させることにより、端面形状が円筒形状になるよう固定されており、ロッド１６の大径部１６ｂに形成した中空孔部１９に嵌入され接着材等により固着されている。見本本体１７に付される色彩は前述の実施の形態の場合と同様、茶系統で、各見本本体８ごとに夫々ネーミングが付されている。ネーミングはシールに表示されてロッド１６の表面に表示されるようになっている。
【００２１】
カバー１８は、見本本体１７を外周から覆うことのできる内径を有する透明なビニール等の樹脂製のカバー本体１８ａと、カバー本体１８ａの上端に一体的に設けられて、ロッド１６に対し摺動し得ると共に、大径部１６ｂの肩部に係止し得るようにした案内部１８ｂを備えている。
【００２２】
次に、上記した実施の形態の作動を説明する。
本図示例において、顧客が毛髪を染色する際には、座席において、或は、ユニット停止場所において、毛髪染色見本６’を手に取り、見本本体１７を覆っているカバー１８をロッド１６に沿い摺動させて上方へ移動させ、見本本体１７を露出させたうえ目視し、前述の実施の形態と同様にしてどの色にするか選定を行なう。色彩を付された見本本体１７は、人髪或は人工毛髪若しくは天然毛を使用しているため、その色は実際に人の髪の毛に染色した場合の色を示しており、染毛後に顧客が期待した色を確実に得ることができ、従って、顧客のニーズに充分に沿うことができる。又、毛髪染色見本ユニットは移動可能であるため、美容院のスタッフが毛髪染色見本ユニットを顧客の座席まで搬送することができ、顧客が移動することなく、見ることもできるためより一層便利である。
【００２３】
更に、本図示例では、見本搭載台枠４から取外した複数の毛髪染色見本６’の見本本体１７を組合せて、毛髪染色見本６’に示されている色以外の色を選定し、この選定した色により染色することもできるため、ファッション性がより一層向上する。
【００２４】
なお、本考案の毛髪染色見本ユニットにおいては、毛髪染色見本本体として、人髪或は人工毛髪若しくは天然毛の何れかを用いる場合について説明したが、これらを混ぜて毛髪染色見本本体を構成することも可能なこと、その他、本考案の要旨を逸脱しない範囲内において種々変更を加え得ることは勿論である。
【図面の簡単な説明】
【００２５】
【図１】本考案の毛髪染色見本ユニットの実施の形態の一例を示す側面図である。
【図２】図１に示す毛髪染色見本ユニットにおける毛髪染色見本搭載台枠に搭載されている毛髪染色見本の配置状態を示す正面図である。
【図３】図２に示す毛髪染色見本の拡大して示す正面図である。
【図４】図３のＩＶ−ＩＶ方向矢視図である。
【図５】図３のＶ−Ｖ方向矢視図である。
【図６】図３のＶＩ−ＶＩ方向拡大矢視図である。
【図７】本考案の毛髪染色見本ユニットの実施の形態の他の例を示し、毛髪染色見本ユニットにおける毛髪染色見本搭載台枠に搭載されている毛髪染色見本の配置状態を示す正面図である。
【図８】図７に示す毛髪染色見本の拡大して示す縦断面図である。
【符号の説明】
【００２６】
１  台車
４  毛髪染色見本搭載台枠（見本搭載台枠）
６  毛髪染色見本
６’        毛髪染色見本
７  台板
８  毛髪染色見本本体（見本本体）
１６  ロッド
１７  毛髪染色見本本体（見本本体）
１８  カバー
【図１】
0003110766.tif 000003
【図２】
0003110766.tif 000004
【図３】
0003110766.tif 000005
【図４】
0003110766.tif 000006
【図５】
0003110766.tif 000007
【図６】
0003110766.tif 000008
【図７】
0003110766.tif 000009
【図８】
0003110766.tif 000010